(57)【要約】(a) 第1端および第2端を含む細長いハウジングであって、液体流入口と、液体流出口と、液体供給源からの液体キャリアを受け入れるよう適合した内部空洞とを規定するハウジングと；(b) ハウジングの内部空洞内に少なくとも部分的に配置された気体透過可能部材とを含む、液体キャリア中に分散したナノバブルを含む組成物を製造するための装置を開示する。気体透過可能部材は、気体供給源からの加圧気体を受け入れるよう適合した開放端と、閉鎖端と、1.0μm以下の平均細孔径を有する、該開放端と該閉鎖端との間に延在する多孔性側壁とを含む。気体透過可能部材は、内面、外面、および内腔を規定する。ハウジングおよび気体透過可能部材は、液体キャリアとその中に分散したナノバブルとを含む組成物を形成するように構成される。2019509894.tif 000003
2019509894.tif 000002
【特許請求の範囲】
【請求項１】
液体キャリア中に分散したナノバブルを含む組成物を製造するための装置であって、該装置は、
(a) 第1端および第2端を含む細長いハウジングであって、液体流入口と、液体流出口と、液体供給源からの液体キャリアを受け入れるよう適合した内部空洞とを規定する、前記ハウジングと；
(b) 前記ハウジングの内部空洞に少なくとも部分的に配置された気体透過可能部材であって、気体供給源からの加圧気体を受け入れるよう適合した開放端と、閉鎖端と、1.0μm以下の平均細孔径を有する、該開放端と該閉鎖端との間に延在する多孔性側壁とを含み、内面、外面、および内腔を規定する、前記気体透過可能部材と
を含み、
前記ハウジングの液体流入口は、前記気体透過可能部材の外面に対して概して直交する角度で液体供給源からの液体キャリアを前記ハウジングの内部空洞へ導入するように配設されており、
前記ハウジングおよび前記気体透過可能部材は、液体流入口から液体流出口まで前記気体透過可能部材の外面と平行に液体供給源からの液体キャリアが流れるときに、前記気体透過可能部材の内腔に導入された加圧気体が前記気体透過可能部材の多孔性側壁を通じてナノバブルの形態で前記気体透過可能部材の外面に押し出されて、液体キャリアとその中に分散したナノバブルとを含む組成物が形成されるように構成されている、
前記装置。
【請求項２】
前記組成物が、液体流出口から現れた10分後に測定すると本質的にマイクロバブルを含んでいない、請求項1記載の装置。
【請求項３】
液体流出口での液体キャリア中のナノバブルの濃度が、少なくともナノバブル1×107個/mlである、請求項1記載の装置。
【請求項４】
前記組成物が、周囲圧力および周囲温度下、液体キャリア中で少なくとも1ヶ月間安定であるナノバブルを含む、請求項1記載の装置。
【請求項５】
液体キャリアが界面活性剤を含まない、請求項1記載の装置。
【請求項６】
前記気体透過可能部材が、管の形状の硬質セラミック部材を含み、かつ前記気体透過可能部材の多孔性側壁が、アルミナ、チタニア、ジルコニア、およびそれらの組み合わせからなる群より選択される、1μm以下の平均細孔径を有する多孔性コーティングを含む、請求項1記載の装置。
【請求項７】
多孔性コーティングが、前記気体透過可能部材の内面、外面、または両面に配置されている、請求項6記載の装置。
【請求項８】
請求項1記載の装置を用いて、液体キャリア中に分散したナノバブルを含む組成物を製造するための方法であって、該方法は、
前記気体透過可能部材の外面にて乱流を生成する流速で、液体供給源からの液体キャリアを前記ハウジングの液体流入口を通じて前記ハウジングの内部空洞に導入する工程；および
前記気体透過可能部材の内腔内の圧力が前記ハウジングの内部空洞における圧力よりも高くなるように選択された気体圧力で、該内腔に気体供給源からの加圧気体を導入する工程であって、これによって多孔性側壁を通じて気体を押し出し、かつ前記気体透過可能部材の外面にナノバブルを形成する、工程
を含み、
液体流入口から液体流出口まで前記気体透過可能部材の外面と平行に流れる液体キャリアは、前記気体透過可能部材の外面からナノバブルを取り入れて、液体キャリアとその中に分散したナノバブルとを含む組成物を形成する、
前記方法。
【請求項９】
以下の工程を含む、水を処理するための方法：
請求項1記載の装置を用いて、液体キャリア中に分散したナノバブルを含む組成物を発生させる工程；および
処理を必要とする水の供給源まで前記組成物を運搬する工程。
【請求項１０】
以下の工程を含む、パイプを通じて液体を運搬する方法：
請求項1記載の装置を用いて、液体キャリア中に分散したナノバブルを含む組成物を発生させる工程；
前記組成物を液体と組み合わせて、該液体の粘度よりも低い粘度を有するポンプ搬送可能組成物を生成する工程；および
所望の目的地までパイプを通じてポンプ搬送可能組成物を運搬する工程。
【請求項１１】
以下の工程を含む、植物の成長を促進するために植物の根に液体を送達する方法：
請求項1記載の装置を用いて、液体キャリア中に分散したナノバブルを含む組成物を発生させる工程；
前記組成物を液体と組み合わせて、酸素富化組成物を生成する工程；および
植物の成長を促進するために植物の根に組成物を適用する工程。
【発明の詳細な説明】
【技術分野】
【０００１】
関連出願の相互参照
本願は、2016年3月11日に出願の米国特許出願番号第62/306,637号に基づく優先権の恩典を主張する。該先願は、その全体において参照により本明細書に組み入れられる。
【０００２】
技術分野
本発明は、液体キャリアとその中に分散したナノバブルとを含む組成物を製造することに関する。
【背景技術】
【０００３】
背景
ナノバブルは、負電荷を持つそれらの表面により、液体中での寿命の長さなどのいくつかの独自の特性を有する。ナノバブルは、それらの高い内圧により液体への気体溶解度が高い。逆に、マイクロバブルおよびマクロバブルは、サイズがより大きいので急速に上昇し水面で破裂する。
【０００４】
ナノバブルは様々な分野に適用可能であり、医学的、工業的および農業的観点から多くの有益な効果を有し得る。例えば、ナノバブルの存在は、生き物における生理学的活性を促進し代謝を高め得、その結果として個体発生的成長が向上する。
【０００５】
これまでにナノバブルを発生させるいくつかの方法が提案されてきた。これらの方法は、渦流型液体流、ベンチュリ、高圧溶解、エゼクタ、混合蒸気直接接触凝縮および超音波振動を含む。これらの方法はすべてエネルギー集約的であり、ナノバブルの生成が上手くいくかの程度には差がある。
【発明の概要】
【０００６】
概要
本明細書において用いるように、「ナノバブル」という用語は、1ミクロン未満の直径を有する気泡を指す。ナノバブルより大きいマイクロバブルは、1ミクロン以上50ミクロン未満の直径を有する気泡である。マクロバブルは、50ミクロン以上の直径を有する気泡である。
【０００７】
第1局面では、液体キャリア中に分散したナノバブルを含む組成物を製造するための装置を記載する。装置は、(a) 第1端および第2端を含む細長いハウジングであって、液体流入口と、液体流出口と、液体供給源からの液体キャリアを受け入れるよう適合した内部空洞とを規定するハウジングと；(b) ハウジングの内部空洞内に少なくとも部分的に配置された気体透過可能部材とを含む。
【０００８】
気体透過可能部材は、気体供給源からの加圧気体を受け入れるよう適合した開放端と、閉鎖端と、1.0μm以下の平均細孔径を有する、該開放端と該閉鎖端との間に延在する多孔性側壁とを含む。気体透過可能部材は、内面、外面、および内腔を規定する。
【０００９】
ハウジングの液体流入口は、気体透過可能部材の外面に対して概して直交する角度で液体供給源からの液体キャリアをハウジングの内部空洞へ導入するように配設される。ハウジングおよび気体透過可能部材は、液体流入口から液体流出口まで気体透過可能部材の外面と平行に液体供給源からの液体キャリアが流れるときに、気体透過可能部材の内腔に導入された加圧気体が気体透過可能部材の多孔性側壁を通じてナノバブルの形態で気体透過可能部材の外面に押し出されて、液体キャリアとその中に分散したナノバブルとを含む組成物が形成されるように構成されている。
【００１０】
いくつかの態様では、組成物は、液体流出口から現れた10分後に測定するとマイクロバブルを本質的に含んでいない。「マイクロバブルを本質的に含んでいない」組成物とは、マイクロバブルが組成物中に占める割合が全気泡体積の1％未満の組成物である。
【００１１】
ナノバブルは、500nm未満もしくは200nm未満の、または約10nm〜約500nm(例えば、約75nm〜約200nm)の範囲の平均直径を有してもよい。液体流出口での液体キャリア中のナノバブルの濃度は、少なくともナノバブル1×106個/ml、少なくともナノバブル1×107個/ml、または少なくともナノバブル1×108個/mlであってもよい。いくつかの態様では、組成物は、周囲圧力および周囲温度下、液体キャリア中で少なくとも1ヶ月間または少なくとも3ヶ月間安定であるナノバブルを含む。
【００１２】
気体は、空気、酸素、二酸化炭素、窒素、水素、およびそれらの組み合わせからなる群より選択されてもよい。いくつかの態様では、気体透過可能部材は、少なくとも5psiまたは少なくとも100psiまで加圧した気体を受け入れるよう適合してもよい。
【００１３】
液体キャリアは、水を含んでもよい。いくつかの態様では、液体キャリアは界面活性剤を含んでいない。
【００１４】
いくつかの態様では、気体透過可能部材は、硬質のセラミック部材を含む。多孔性側壁は、0.0009μm〜1μmの範囲の平均細孔径を有してもよい。多孔性側壁は、多孔性コーティングを含んでもよい。好適な多孔性コーティングの例は、アルミナ、チタニア、ジルコニア、マンガン、およびそれらの組み合わせなどの金属酸化物を含む。多孔性コーティングは、気体透過可能部材の内面、外面、または両面に配置されてもよい。
【００１５】
いくつかの態様では、ハウジングは、複数の気体透過可能部材を含む。気体透過可能部材は、単一流路管または多流路管の形態であってもよい。
【００１６】
装置は、液体キャリアの乱れを増すよう適合した1つまたは複数の螺旋状部材(または螺旋状装置)を含んでもよい。いくつかの態様では、装置は、ハウジングと一体になったジェットポンプをさらに含んでもよい。
【００１７】
第2局面では、液体キャリア中に分散したナノバブルを含む組成物を製造するための装置を記載する。装置は、(a) 第1端および第2端を含む細長いハウジングであって、液体流入口と、液体流出口と、液体供給源からの液体キャリアを受け入れるよう適合した内部空洞とを規定するハウジングと；(b) ハウジングの内部空洞内に配置された気体透過可能管とを含む。
【００１８】
気体透過可能管は、気体供給源からの加圧気体を受け入れるよう適合した開放端と、閉鎖端と、内面と、外面と、内腔とを含む。気体透過可能管の内面および外面の少なくとも一方は、アルミナ、チタニア、ジルコニア、マンガン、およびそれらの組み合わせからなる群より選択される、1μm以下の平均細孔径を有する多孔性コーティングを含む。
【００１９】
ハウジングの液体流入口は、気体透過可能管の外面に対して概して直交する角度で液体供給源からの液体キャリアをハウジングの内部空洞へ導入するように配設されている。ハウジングおよび気体透過可能管は、液体流入口から液体流出口まで気体透過可能部材の外面と平行に液体供給源からの液体キャリアが流れるときに、気体透過可能管の内腔に導入された加圧気体が気体透過可能管の多孔性コーティングを通じてナノバブルの形態で気体透過可能管の外面に押し出されて、液体キャリアとその中に分散したナノバブルとを含む組成物が形成されるように構成されている。
【００２０】
第3局面では、上に記載の装置を用いて、液体キャリア中に分散したナノバブルを含有する組成物を製造するための方法を記載する。方法は、気体透過可能部材の外面にて乱流を生成する流速で、液体供給源からの液体キャリアをハウジングの液体流入口を通じてハウジングの内部空洞に導入する工程を含む。方法は、気体透過可能部材の内腔内の圧力がハウジングの内部空洞における圧力よりも高くなるように選択された気体圧力で、該内腔に気体供給源からの加圧気体を導入する工程であって、これによって多孔性側壁を通じて気体を押し出し、かつ気体透過可能部材の外面にナノバブルを形成する、工程をさらに含む。液体キャリアは、液体流入口から液体流出口まで気体透過可能部材の外面と平行に流れ、気体透過可能部材の外面からナノバブルを取り入れて、液体キャリアとその中に分散したナノバブルとを含む組成物を形成する。
【００２１】
液体キャリアにナノバブルが分散した上記の組成物は、多数の用途に有用である。例えば、組成物は、処理を必要とする水まで組成物を運搬することによって水を処理するために用い得る。処理され得る水供給源の例は、廃水、酸素欠乏水、飲料水、および水産養殖用水を含む。
【００２２】
別の用途では、上記の組成物は、液体と組み合わせて、該液体の粘度より低い粘度を有するポンプ搬送可能組成物を生成することができ、次いでポンプ搬送可能組成物はパイプを通じて所望の目的地まで運搬される。液体の例は、原油および掘削流体を含む。
【００２３】
別の用途では、上記の組成物は、液体と組み合わせて、酸素富化組成物を生成し、酸素富化組成物は、次いで植物の成長を促進するために植物の根に適用される。
【００２４】
例示的な方法では、ナノバブルは、気体がセラミック構造体を通過し、その他方側にナノバブルとして現れるように0.0009〜1.0μmの間の細孔径を有するセラミック構造体の、酸化チタン、酸化アルミニウムまたは他の金属酸化物でコーティングされた一方側に圧力下の気体を供給することと、ナノバブルが構造体から現れたときにナノバブルを運び去り、これによってより大きな気泡へとナノバブルが結合することを防止するようにセラミック構造体の他方側で液体流を生成することとによって製造される。
【００２５】
ナノバブルを発生させるための例示的な装置は、第1面および反対の第2面を有する多孔性セラミック構造体と、気体がセラミック構造体を通過し第2面を通じて現われるようにセラミック構造体の第1面に圧力下の気体を供給するための気体供給システムと、第2面上を流れる水流として圧力下の液体を供給するための液体供給システムとを含む。
【００２６】
セラミック構造体は、一端が閉鎖され、他端が圧力下の気体のための流入口を有する管の形態であり得る。装置は、管とハウジングとの間に規定された円筒形の流路を通じて液体が流れるように、一端に液体のための流入口と他端に液体のための流出口とを有する、管と同軸上の細長いハウジングをさらに含み得る。ハウジングへの流入口は、ハウジングを通る流れの方向に対して角度をつけて液体がハウジングに流入するように位置させ得る。流路内の乱流を増大させるために螺旋状部材などの突起をハウジング内に設け得る。
【００２７】
ナノバブルを形成するための装置および方法は、溶液中で1000nm以下の気泡径を有するナノバブルを最小限のエネルギーを用いて形成することを可能にし、ここでナノバブルは周囲温度および周囲圧力下で1ヶ月以上安定した状態で液体キャリア中に分散したままである。液体キャリア中の高濃度のナノバブルが製造され得る。さらに、ナノバブル内の気体の性質に応じて、内部にナノバブルを含有する溶液は、動物、植物、生物および/または微生物に対する生理活性化効果および/または成長促進効果；細菌およびウイルスなどの微生物に対する死滅効果または抗増殖効果；有機物または無機物との化学反応；あるいは液体と気体の混合を提供し得る。
【００２８】
加えて、ナノバブル中で運ばれる気体を含有する組成物の大きな利点は、ナノバブルが液体における飽和点を上昇させることである。組成物中のナノバブルは、液体の最大飽和点を上昇させる。
【００２９】
発明の1つまたは複数の態様の詳細を以下の説明に記す。発明の他の特徴、目的、および利点は、該説明からおよび特許請求の範囲から明らかになるであろう。
【図面の簡単な説明】
【００３０】
【図１】液体キャリア中に分散したナノバブルを含む組成物を製造するための例示的な装置の概略図である。
【図２】液体キャリア中に分散したナノバブルを含む組成物を製造するための第2の例示的な装置の概略図である。
【図３】液体キャリア中に分散したナノバブルを含む組成物を製造するための第3の例示的な装置の概略図である。
【発明を実施するための形態】
【００３１】
詳細な説明
図1は、円筒状のハウジング12を含む例示的な装置10を示す。
【００３２】
下でより詳細に説明するセラミック管20は、ハウジング12の端壁22間に亘り、両端にて強固に支持されている。管20と端壁22との間にはOリングを含むシール構造体24が設けられている。
【００３３】
26にハウジングへの流入口が、28にハウジングからの流出口がある。ポンプ30が流入口26に接続され、ポンプ30と流入口26との間に圧力調整器32がある。
【００３４】
ジェットポンプ34および圧力計36が流出口28に接続されている。ジェットポンプ34の機能は下に記載している。
【００３５】
圧力下の気体の供給源38は、圧力調整器40および流量計42を介して管20への流入口44に接続されている。管20は、流入口44の反対側の端部では閉じていることに留意されたい。
【００３６】
管20は、その内腔が加圧気体で充填された際に一定の細孔径を維持するよう適合した硬質材料を含むことが好ましい。例えば、管20は、加圧気体が管20の内腔に導入された際に一定の細孔径を維持するのに十分な強度または壁厚を有する材料で作製し得る。一定の細孔径を維持することは、組成物中に形成されるナノバブルの直径範囲および平均直径を制御するのに有益であり得る。
【００３７】
管20は、金属酸化物(アルミナ、チタニア、ジルコニア、マンガン、またはそれらの組み合わせなど)でコーティングされた市販の単流路セラミック膜であり得る。ナノバブルの製造のためにセラミック膜を利用することは、構造体の形態または大きさに何ら限定されず、一体構造の多流路管などの形態であり得る。所望の気泡の大きさに応じて、0.9、1、3、5、10、30、70、100、200、250、400、600、800および1000nm(0.0009〜1.0ミクロン)の単一平均細孔径が用いられる。公知の平均細孔径を備えたAl2O3またはTiO2いずれかの結晶被膜でコーティングされた市販の単流路セラミック膜の例はInopor GmbHによって販売されているものである。管は、いくつかの態様では長さが最大で1メートル、中空の内腔が少なくとも7mm、最大で36mmであり得る。管の外径は、約10mm〜約42mmの範囲であり得る。
【００３８】
通常は水であるが有機液体であってもよい液体は、ポンプ30によって流入口26に供給される。液体は界面活性剤を含んでいなくてもよい。流入口26はハウジング12を通る流れの方向に対して直角であることに留意されたい。これは、ハウジング12内の流れに乱れをもたらす。流れる液体へと突出し、流入口の位置によって引き起こされる乱れを増大させる螺旋状部材46などの要素を装置10に設けることが可能である(図2を参照されたい)。セラミック管20およびハウジング12はまた、液体の詰まりを防止するためにそれぞれ互いに対して離間して配設され得る。
【００３９】
圧力下の気体は、供給源38から調整器40および流量計42を通って管20の流入口44まで流れる。気体は、酸素、空気、水素、窒素、二酸化炭素、またはそれらの組み合わせであり得る。管20はその流入口を除いては閉鎖しているので、押し込まれた気体は管の細孔を通じてのみ漏出し得る。気体が管の細孔に押し通されるように管20内側の気体圧と管20外側の液体圧との間に圧力差が維持される。気体は、管20外側をかき乱れて流れる液体流へとナノバブルとして現れる。これは、ナノバブルが形成されたときに、かつ大きな気泡へと結合し得る前に、ナノバブルを運び去る。液体の速度は、2.0m/s以上(例えば、少なくとも2.0m/sまたは3.0m/s)とし得る。
【００４０】
いくつかの態様では、管20内側の気体圧は、少なくとも5psiまたは少なくとも100psiまで加圧される。より高い圧力も用い得る。
【００４１】
ジェットポンプ34は、その側方の流入口を通じて別の液体または気体を、ジェットポンプ34を通じて流れるナノバブル富化液体の流動流に引き込ませ、これによって流動液体を調合する。
【００４２】
図3を参照すると、装置110の別の例は、ハウジング112と一体化したジェットポンプ134を含む。図示のジェットポンプ134は、ハウジング112の流入口126と流出口128との間に位置している。ジェットポンプ134は、任意で気体を導入するためのジェットポンプ流入口と、高速の流体流を生み出すためのノズルとを含む。ハウジング112へのジェットポンプ134の一体化は、液体キャリアとナノバブルとを含有する組成物中に含有される気泡の気泡サイズをさらに低減するのに有益であり得る。ジェットポンプの吐出は、ハウジング112の吐出口128を出る組成物の気泡を細分し混合するための高速流体流を生み出し得る。
【００４３】
装置110(または装置10)は、流入口144から管120を通して気体を高速で押し出すことによって、液体キャリアとその中に分散したナノバブルとを含有する組成物を製造する。管120の表面上またはその近くでの気泡の結合または成長を低減することが望ましいので、装置110は、液体の乱流閾値よりも遥かに高い液体の流速を提供する(例えば、2.0m/sを超える流速)。乱流は、a)管120の表面から発生する気泡をせん断する；およびb)新たに形成される気泡を管120の表面近傍から取り去るという2つの機能を果たす。装置110のハウジング112内の乱れは、これらの目的を両方達成する。例として、図1は、乱流状態下でのハウジング112内の液体の動きを示す(矢印で図示する)。
【００４４】
本明細書において記載の装置および方法によって製造される組成物のいずれも1ミクロン未満の平均直径を有するナノバブルを含む。いくつかの態様では、ナノバブルは、約10nm〜約500nm、約75nm〜約200nm、または約50nm〜約150nmの範囲の平均直径を有する。組成物中のナノバブルは、平均気泡直径が1ミクロン未満である単峰型の直径分布を有してもよい。
【００４５】
本明細書において提供される組成物は、液体キャリア中に分散した高濃度のナノバブルを含む。いくつかの態様では、組成物は、液体吐出口での液体キャリア中のナノバブルの濃度が、少なくともナノバブル1×106個/ml、少なくともナノバブル1×107個/ml、または少なくともナノバブル1×108個/mlである。
【００４６】
本明細書において提供される装置および方法は、液体キャリアが所望の期間にわたって安定したままのナノバブルを含有する組成物を製造し得る。いくつかの態様では、本明細書において提供される組成物は、周囲圧力および周囲温度下、液体キャリア中で少なくとも1ヶ月、好ましくは少なくとも3ヶ月間安定であるナノバブルを含有する。
【００４７】
上記のナノバブル含有組成物は、多数の用途に有用である。ナノバブルは、液体キャリア中で安定なため、液体キャリア中で溶解または結合することなく長距離を運搬してもよい。さらに、液体組成物中のナノバブルの濃度が高いため、ナノバブルは、所望の供給源まで気体を運搬するために効率的な供給源となる。加えて、より小さな表面積および高い溶解度を備えており、ナノバブルを含有する組成物は、酸素などの気体を液体中へと移動させるのに従来のエアレーションよりも何倍も効率的である。
【００４８】
1つの用途は、液体キャリア中に分散したナノバブルを含有する組成物が、処理を必要とする水の供給源まで運搬される、水処理を伴う。処理され得る水の例は、廃水、酸素欠乏水、飲料水、および水産養殖用水を含む。飲料水の場合、飲用可能な水を生成するためにナノバブルを用い得る。ナノバブルは、炭酸入りの飲料水にも用い得る。
【００４９】
1つの特に有用な水処理用途は、環境水の浄化を伴う。ナノバブルは水中での寿命が長く、混合性が高いので、湖沼、河川、および海洋の生態系バランスを改善するために用い得る。水域を多量の酸素で富化することは、汚泥、硫化水素、環境毒素、および病原体を分解する働きをする有益な好気活性を回復するのに役立ち得る。
【００５０】
別の用途は、原油または掘削液などの液体をパイプを通じて運搬することを伴う。多くの場合、これらの液体は粘性であり、相当な距離を運搬しなければならない。液体キャリア中に分散したナノバブルを含有する組成物は、液体と組み合わせて、該液体の粘度よりも低い粘度を有するポンプ搬送可能組成物を生成し、所望の目的地までパイプを通じて運搬され得るポンプ搬送可能組成物を生成することができる。
【００５１】
別の用途は、植物の成長を促進するために植物の根を処理することを伴う。例えば、液体キャリア中に分散したナノバブルを含有する組成物は、別の液体と組み合わせて、植物の根に適用される酸素富化組成物を生成することができる。同様に、液体キャリア中にナノバブルを含有する組成物は、魚類および甲殻類の成長を促進する高酸素環境を作るために水産養殖において用い得る。
【００５２】
別の用途は、熱伝達を良くすることを伴う。例えば、液体キャリア中にナノバブルを含有する組成物を注入した加熱液または冷却液は、それらの液中においてより速い温度変化を生じ得る。非限定的な例示的な用途は、冷却塔用途を含む。
【００５３】
別の用途は、液体キャリア中にナノバブルを含有する組成物を滅菌のために用いることを伴う。ナノバブルが崩壊するにつれて、酸素は空気中で活性化されO3およびOH-などの分子を形成する。これらの分子は、病原性生物および特定の揮発性有機化合物を破壊するために用い得る強力な滅菌剤である。
【００５４】
別の用途は、組織保護を伴う。ナノバブル組成物を組織細胞と組み合わせることにより、凍結後であっても細胞を保護し得る。
【００５５】
別の用途は、気化を伴う。液体キャリアに分散したナノバブルを含有する組成物は、通常の水よりも高い気化ポテンシャルを有する。よって、冷却塔内の水をナノバブル組成物と組み合わせることは、冷却塔水の気化を向上し、関連する冷却プロセスの効率を良くし得る。
【００５６】
別の用途は、膜または地熱井を処理するためにナノバブル組成物を用いることを伴う。膜または地熱井が、液体キャリア中にナノバブルを含有する組成物に継続的にさらされると、組成物は、膜または地熱井の表面に汚染物質が蓄積するのを防止し得る。これは、ナノバブルが負電荷を有し、塩または有機汚染物質などの特定の汚染物質を排除する幾何学的構造体(例えば、格子)を膜または地熱井の表面上に形成し得るためである。
【００５７】
発明の多数の態様を説明してきたが、発明の精神および範囲から逸脱することなく様々な改変を行ってもよいことが理解されるであろう。したがって、他の態様は添付の特許請求の範囲内である。
【図１】
2019509894.tif 000004
【図２】
2019509894.tif 000005
【図３】
2019509894.tif 000006
【国際調査報告】
2019509894.tif 000007
2019509894.tif 000008
2019509894.tif 000009